(57)【特許請求の範囲】
【請求項１】
計器本体の外周部の前面側に取付受部を設け、計器本体の外周部の後面側から該外周部に計器取付具と計器カバーとを挿着し、計器カバーにより計器取付具を計器本体の取付受部との間に挟着保持してなる計器であって、
計器カバーが、可撓性弾性材料にて構成されて一端開口の有底筒状をなし、計器本体の外周部に密着状に挿着され、計器本体の取付受部との間に計器取付具を挟着保持可能にする計器。
【発明の詳細な説明】
【０００１】
【発明の属する技術分野】
本発明は、車両等に取付けられる計器に関する。
【０００２】
【従来の技術】
従来の計器１は、図３に示す如く、計器本体２に計器取付具３を設けるに際し、計器本体２の外周部の前面側に鍔状の取付受部４を設け、計器本体２の外周部の後面側から該外面部に計器取付具３を遊挿し、計器本体２の背面に設けたボルト５Ａに螺着されるナット５Ｂによりバックアップされた取付枠６により上記計器取付具３を計器本体２の取付受部４との間に挟着保持することとしている。
【０００３】
そして、計器１は、計器取付具３に形成された取付孔を用いて、止めねじ等により、ダッシュボード等の取付面７に取付けられるようになっている。
【０００４】
【発明が解決しようとする課題】
然しながら、従来技術には以下の問題点がある。
▲１▼計器本体２の回りに取付枠６や配線が露出する状態にあるから、外観が煩雑で、また塵埃等も付着し易く、美観を損ねる。
【０００５】
▲２▼計器本体２の外周部に計器取付具３を遊挿した後、この背面のボルト５Ａに取付枠６のボルト孔を挿通し、このボルト５Ａにナット５Ｂを螺合し、ナット５Ｂによりバックアップされる取付枠６を計器取付具３に突き当てるものであり、取付作業性が悪い。
【０００６】
▲３▼金属部品である計器本体２、計器取付具３、取付枠６が露出するものであるから、他の部材等と接触して電気的ショートを生ずる虞れがあり、損傷する虞れがある。
【０００７】
▲４▼計器本体２の外周部が露出するものであるから、取付中もしくは取付後の使用中に他の部材等と衝突するとき、損傷する虞れがある。
【０００８】
本発明の課題は、計器において、簡易な構成により、美観を向上し、且つ取付作業性を向上することにある。
【０００９】
更に、本発明の課題は、計器において、電気的ショートの発生を防止し、耐衝撃性も向上することにある。
【００１０】
【課題を解決するための手段】
請求項１に記載の本発明は、計器本体の外周部の前面側に取付受部を設け、計器本体の外周部の後面側から該外周部に計器取付具と計器カバーとを挿着し、計器カバーにより計器取付具を計器本体の取付受部との間に挟着保持してなる計器であって、計器カバーが、可撓性弾性材料にて構成されて一端開口の有底筒状をなし、計器本体の外周部に密着状に挿着され、計器本体の取付受部との間に計器取付具を挟着保持可能にするものである。
【００１３】
本発明によれば、以下の如くの作用がある。
▲１▼計器本体に計器取付具を固定するのに、計器カバーを用いるだけで足り、部品点数を削減し、構成簡易にできる。
【００１４】
▲２▼計器本体の外周部は計器カバーにて覆われ、取付枠等の部材や配線が外部に表われることがなく、また塵埃等も付着しにくく、美観を向上できる。
【００１５】
▲３▼計器本体の外周部に計器カバーを挿着し、この計器カバーにより計器取付具を計器本体の取付受部との間に挟着するだけで、計器取付具を設けることができる。即ち、ナット締め等を必要とせず、取付作業性を向上できる。
【００１６】
▲４▼計器本体がゴム等の電気絶縁材料からなる計器カバーで覆われるとき、他の部材等との接触による電気的ショートの発生を防止できる。
【００１７】
▲５▼計器本体がゴム等の可撓弾性材料からなる計器カバーで覆われるとき、耐衝撃性を向上し、計器を保護できる。
【００１８】
▲６▼計器カバーがゴム等の可撓性弾性材料から構成されるとき、計器カバーの後面に設けられる配線孔を変形自在にでき、コネクタ等の異形断面の接続具も容易に挿通できる。
【００１９】
【発明の実施の形態】
図１は本発明の一実施形態に係る計器を示す模式図、図２は計器を示す断面図、図３は従来例を示す模式図である。
【００２０】
計器１０は、図１、図２に示す如く、計器本体１１と、計器取付具２１と、計器カバー３１とを有して構成されている。
【００２１】
計器本体１１は、筒状本体部１２と、筒状本体部１２の前面の表示部１３と、筒状本体部１２の外周部の前面側で表示部１３回りに設けられて該外周部より大径をなす鍔状の取付受部１４とを有している。また、計器本体１１は、筒状本体部１２の後面に配線の接続部１５を備えている。
【００２２】
計器取付具２１は、計器本体１１の筒状本体部１２の後面側からその外周部に遊挿される内径部２２と、計器本体１１の取付受部１４と略同一径の外径部２３と、取付孔２４Ａを備えた取付脚部２４とを有している。
【００２３】
計器カバー３１は、一端開口の有底筒状（カップ状）をなし、計器本体１１の筒状本体部１２の後面側からその外周部に密着状に挿着され、計器本体１１の取付受部１４との間に計器取付具２１を挟着保持できる。計器カバー３１は、計器本体１１の筒状本体部１２への挿着状態下で、筒状本体部１２の後面との間に配線スペース３２を形成でき、配線孔３３を備える。
【００２４】
計器カバー３１は、ゴム等の可撓性弾性材料にて構成されるのが良く、例えばＥＰＤＭ60°等により構成できる。
【００２５】
従って、計器１０は以下の如くにより取付けられる。
(1) 計器本体１１の筒状本体部１２に計器取付具２１を遊挿する。
【００２６】
(2) センサーハーネス、電源ハーネス等のハーネス４１のコネクタ４２を計器カバー３１の配線孔３３に通し、コネクタ４２を計器本体１１における筒状本体部１２の後面に設けた接続部１５に接続する。
【００２７】
(3) 計器カバー３１を計器本体１１の筒状本体部１２に密着状に挿着し、計器カバー３１の前縁部で計器取付具２１を計器本体１１の取付受部１４との間に挟着保持する。
【００２８】
(4) 計器取付具２１の取付脚部２４に設けた取付孔２４Ａを用いて、止めねじ等により計器１０をダッシュボード等の取付面４３に取付ける。
【００２９】
従って、本実施形態によれば、以下の如くの作用がある。
▲１▼計器本体１１に計器取付具１２を固定するのに、計器カバー３１を用いるだけで足り、部品点数を削減し、構成簡易にできる。
【００３０】
▲２▼計器本体１１の外周部は計器カバー３１にて覆われ、取付枠等の部材や配線が外部に表われることがなく、また塵埃等も付着しにくく、美観を向上できる。
【００３１】
▲３▼計器本体１１の外周部に計器カバー３１を挿着し、この計器カバー３１により計器取付具１２を計器本体１１の取付受部１４との間に挿着するだけで、計器取付具１２を設けることができる。即ち、ナット締め等を必要とせず、取付作業性を向上できる。
【００３２】
▲４▼計器本体１１がゴム等の電気絶縁材料からなる計器カバー３１で覆われるとき、他の部材等との接触による電気的ショートの発生を防止できる。
【００３３】
▲５▼計器本体１１がゴム等の可撓弾性材料からなる計器カバー３１で覆われるとき、耐衝撃性を向上し、計器を保護できる。
【００３４】
▲６▼計器カバー３１がゴム等の可撓性弾性材料から構成されるとき、計器カバー３１の後面に設けられる配線孔３３を変形自在にでき、コネクタ４２等の異形断面の接続具も容易に挿通できる。
【００３５】
以上、本発明の実施の形態を図面により詳述したが、本発明の具体的な構成はこの実施の形態に限られるものではなく、本発明の要旨を逸脱しない範囲の設計の変更等があっても本発明に含まれる。計器カバーは有底筒状であり、計器本体の外周及び後面の全体を覆って美観を向上できる。
【００３６】
また、計器本体に設けられる取付受部は、必ずしも鍔状をなすものに限らず、計器カバーとの間に計器取付具を挟着保持できるものであればいかなる形態のものであっても良い。
【００３７】
また、計器取付具は金属製、合成樹脂製等のいずれであっても良い。
【００３８】
【発明の効果】
以上のように本発明によれば、計器において、簡易な構成により、美観を向上し、且つ取付作業性を向上することができる。また、本発明によれば、計器において、電気的ショートの発生を防止し、耐衝撃性も向上することができる。
【図面の簡単な説明】
【図１】図１は本発明の一実施形態に係る計器を示す模式図である。
【図２】図２は計器を示す断面図である。
【図３】図３は従来例を示す模式図である。
【符号の説明】
１０  計器
１１  計器本体
１４  取付受部
２１  計器取付具
３１  計器カバー
【図１】
0003778463.tif 000002
【図２】
0003778463.tif 000003
【図３】
0003778463.tif 000004